(57)【要約】【課題】水中移動体の位置の検知精度を向上させることができる水中移動体の位置検知装置を提供すること。【解決手段】水中検査装置９と周囲の構造物との距離を検出して測定画像を算出する測定画像算出部３６と、設計情報に基づいて作成され、複数の平面上での構造物の外形が位置情報と関連付けて表された複数の記憶画像が記憶された画像記憶部３４と、測定画像に対応する記憶画像を選択する画像選択部３５と、マップマッチングを行うことで選択画像上における測定画像に対応する部分を特定する対応部分特定部３７と、対応部分特定部で特定された部分に基づいて水中検査装置の水平位置を算出する水平位置算出部３８と、測定画像と選択画像を比較し、異なる部分を抽出する不一致部分抽出部８１と、不一致部分抽出部８１で抽出した不一致部分を画像記憶部３４の記憶画像へ反映する画像更新部８２を備える。【選択図】図６
2015049192.tif 000002
【特許請求の範囲】
【請求項１】
３次元空間を移動可能な水中移動体と、
構造物の設計情報に基づいて作成される複数の画像データであって、前記３次元空間内で互いに異なる複数の平面上における前記構造物の外形が位置情報と関連付けて表された複数の記憶画像が記憶された記憶装置と、
前記３次元空間で前記水中移動体の位置する平面上において当該水中移動体の周囲を距離センサで走査することで得られる画像データであって、当該平面上における前記構造物の外形が表された測定画像を取得する画像取得部と、
前記測定画像を得た時の前記水中移動体の姿勢および垂直位置と、前記測定画像とのマッチング率とに基づいて、前記複数の記憶画像の中から前記水中移動体の位置情報を取得するために利用する記憶画像を選択し、当該選択画像に付された位置情報に基づいて前記水中移動体の位置する平面における当該水中移動体の位置を算出する位置算出部と、
前記測定画像と前記選択画像における前記構造物の外形が一致しない場合、前記複数の記憶画像のうち前記選択画像に対応するものを前記測定画像に基づいて更新する画像更新部とを備えることを特徴とする水中移動体の位置検知装置。
【請求項２】
請求項１に記載の水中移動体の位置検知装置において、
前記画像更新部は、前記測定画像と前記選択画像における前記構造物の外形に関する不一致部分を抽出し、前記複数の記憶画像のうち前記選択画像に対応するものに当該不一致部分を反映することを特徴とする水中移動体の位置検知装置。
【請求項３】
請求項２に記載の水中移動体の位置検知装置において、
前記画像更新部は、前記不一致部分として抽出された画素のうち、前記選択画像に存在しないが、前記測定画像に存在する画素は、前記選択画像の作成時に存在しなかった新規構造物の一部とすることを特徴とする水中移動体の位置検知装置。
【請求項４】
請求項２に記載の水中移動体の位置検知装置において、
前記画像更新部は、前記不一致部分として抽出された画素のうち、前記選択画像に存在するが、前記測定画像に存在しない画素は、前記選択画像を作成時より後に消失した欠落構造物の一部とすることを特徴とする水中移動体の位置検知装置。
【請求項５】
請求項１に記載の水中移動体の位置検知装置において、
前記距離センサは、レーザセンサであることを特徴とする水中移動体の位置検知装置。
【請求項６】
請求項１に記載の水中移動体の位置検知装置において、
前記水中移動体の垂直位置を算出するために、水中における前記水中移動体の深度を検出する圧力センサをさらに備えることを特徴とする水中移動体の位置検知装置。
【請求項７】
請求項１に記載の水中移動体の位置検知装置において、
前記測定画像と、前記選択画像または更新後の前記記憶画像とが同時に表示される表示装置をさらに備えることを特徴とする水中移動体の位置検知装置。
【請求項８】
構造物の設計情報に基づいて作成される複数の画像データであって、３次元空間内で互いに異なる複数の平面上における前記構造物の外形が位置情報と関連付けて表された複数の記憶画像を作成するステップと、
前記３次元空間で前記水中移動体の位置する平面上において、当該水中移動体から当該水中移動体の周囲に存在する構造物までの距離を計測することで、当該平面上における前記構造物の外形が表された測定画像を取得するステップと、
前記測定画像を得た時の前記水中移動体の姿勢および垂直位置と、前記測定画像とのマッチング率とに基づいて、前記複数の記憶画像の中から前記水中移動体の位置情報を取得するために利用する記憶画像を１枚選択し、当該選択画像に付された位置情報に基づいて前記水中移動体の位置する平面における当該水中移動体の位置を算出するステップと、
前記測定画像と前記選択画像における前記構造物の外形が一致しない場合、前記複数の記憶画像のうち前記選択画像に対応するものを前記測定画像に基づいて更新するステップとを備えることを特徴とする水中移動体の位置検知方法。
【発明の詳細な説明】
【技術分野】
【０００１】
本発明は、３次元移動可能な水中移動体の位置を検知する水中移動体の位置検知装置に関する。
【背景技術】
【０００２】
３次元移動が可能な水中移動体の位置を検出する水中移動体の位置検知装置を利用した技術としては、３次元移動可能な水中検査装置を用いて原子炉内の構造物の検査作業を行う原子炉内検査システムが知られている。
【０００３】
この種の技術の一例として、任意の水平面で水中移動体から周囲の構造物までの距離を計測することで当該水平面における当該構造物の形状を示す画像データ（測定画像）を作成し、次に、当該構造物の設計情報等から得られる当該水平面における当該構造物の形状を示す画像データであって、水平位置情報が付されている画像データ（記憶画像）を測定画像とマッチングすることで、水中移動体の水平位置を算出する位置検知装置がある（特開２０１０−２０３８８８号公報参照）。
【先行技術文献】
【特許文献】
【０００４】
【特許文献１】特開２０１０−２０３８８８号公報
【発明の概要】
【発明が解決しようとする課題】
【０００５】
しかし、上記文献に係る位置検知装置は、既知の構造物の設計情報をもとに予め作成しておいた記憶画像と、その場で取得される測定画像とのマッチング処理により水中移動体の位置を算出しているため、現実の構造物の状態が記憶画像作成時と異なっている場合（例えば、記憶画像作成時に存在しない構造物が存在していたり、記憶画像作成後に構造物が欠落してしまったりする場合）には、両者のマッチング率が低下するため、マッチング箇所の同定に誤りが生じて水中移動体の位置算出精度が低下するおそれがある。すなわち、上記文献に係る位置検知装置は、設計情報と異なる環境下で使用する場合には、その位置検知精度の点で改善の余地がある。
【０００６】
本発明の目的は、設計情報と異なる環境下での位置検知精度を向上できる水中移動体の位置検知装置を提供することにある。
【課題を解決するための手段】
【０００７】
本発明は、上記目的を達成するために、３次元空間を移動可能な水中移動体と、構造物の設計情報に基づいて作成される複数の画像データであって、前記３次元空間内で互いに異なる複数の平面上における前記構造物の外形が位置情報と関連付けて表された複数の記憶画像が記憶された記憶装置と、前記３次元空間で前記水中移動体の位置する平面上において当該水中移動体の周囲を距離センサで走査することで得られる画像データであって、当該平面上における前記構造物の外形が表された測定画像を取得する画像取得部と、前記測定画像を得た時の前記水中移動体の姿勢および垂直位置と、前記測定画像とのマッチング率とに基づいて、前記複数の記憶画像の中から前記水中移動体の位置情報を取得するために利用する記憶画像を選択し、当該選択画像に付された位置情報に基づいて前記水中移動体の位置する平面における当該水中移動体の位置を算出する位置算出部と、前記測定画像と前記選択画像における前記構造物の外形が一致しない場合、前記複数の記憶画像のうち前記選択画像に対応するものを前記測定画像に基づいて更新する画像更新部とを備える。
【発明の効果】
【０００８】
本発明によれば、設計情報と異なる環境下での水中移動体の位置の検知精度を向上させることができる。
【図面の簡単な説明】
【０００９】
【図１】本発明の実施の形態に係る原子炉内検査システムの概略図。
【図２】本発明の実施の形態に係る水中検査装置の構成を表す概略図。
【図３】本発明の実施の形態に係るレンジセンサユニットの水平断面図。
【図４】図３中の断面IV−IVにおけるレンジセンサユニットの垂直断面図。
【図５】本発明の実施の形態に係るレンジセンサユニットの測定動作の説明図。
【図６】本発明の実施の形態に係る制御装置の機能ブロック図。
【図７】本発明の実施の形態に係る制御装置の位置・姿勢算出機能に係わる制御処理内容を表すＰＡＤ図。
【図８】図７における姿勢角算出処理の詳細を表すＰＡＤ図。
【図９】図７における垂直位置算出処理の詳細を表すＰＡＤ図。
【図１０】制御装置による測定画像算出処理及び水平位置算出処理の説明図。
【図１１】図７における測定画像算出処理の詳細を表すＰＡＤ図。
【図１２】図７における水平位置算出処理の詳細を表すＰＡＤ図。
【図１３】本発明の実施の形態に係る表示装置の表示画面の一例を表す図。
【図１４】本発明の実施の形態に係る表示装置の他の表示画面の一例を表す図。
【発明を実施するための形態】
【００１０】
以下、本発明の実施の形態について図面を用いて説明する。図１は本発明の実施の形態に係る原子炉内検査システムの概略図である。この図に示す原子炉１には、シュラウド２、上部格子板３、炉心支持板４、及びシュラウドサポート５等の構造物が設置されており、ＰＬＲ（Primary Loop Re-circulation System：一次冷却材再循環系）配管６等の配管が接続されている。原子炉１の上部には作業スペースであるオペレーションフロア７があり、さらにその上方には燃料交換装置８がある。
【００１１】
本実施の形態の原子炉内検査システムは、原子炉１内の構造物の目視検査に用いる水中検査装置９（水中移動体）と、ケーブル１０を介して水中検査装置９に接続された制御装置１１と、この制御装置１１に接続され、水中検査装置９のカメラ画像を表示するとともに水中検査装置９の位置や姿勢等を表示する表示装置１２と、制御装置１１に接続され、水中検査装置９を操作可能な操作装置１３を備えている。原子炉１内の構造物の目視検査作業を行う場合、燃料交換装置８上の検査員１４は、原子炉１内に水中検査装置９を投入し、この水中検査装置９の位置や姿勢を表示装置１２で確認しつつ、操作装置１３を操作する。
【００１２】
図２は本発明の実施の形態に係る水中検査装置９の概略図である。
【００１３】
この図において、水中検査装置９は、本体の前面側（図２中左側）に設けられ原子炉１内の構造物等を撮像するカメラ１５と、カメラ１５の画像を電子情報化する画像取込部１６を備えている。また、水中検査装置９は、本体の上面側（図２中上側）、後面側（図２中右側）、及び左側面側（図２中紙面に向かって手前側）にそれぞれ設けられた３つのスラスタ（推進機構）１７を備えている。３つのスラスタ１７は、それぞれ、スクリューと、スクリューを正回転又は逆回転に駆動するモータ（図示せず）で構成されている。スラスタ１７は、水中検査装置９に対して上下方向（図２中上下方向）の推力、前後方向（図２中左右方向）の推力、及び左右方向（図２中紙面に対し垂直方向）の推力をそれぞれ付与する。すなわち、このスラスタ１７により、水中検査装置９は水で満たされた３次元空間を自在に移動可能となっている。なお、以降、水中検査装置９の座標系は、本体における垂直下向き（検査装置９の高さ方向下向き）がＺ軸正方向である右手座標系を定義して説明する。具体的には、本体の右方向（図２中紙面に向かって奥方向）がＸ軸正方向、前方向（図２中左方向）がＹ軸正方向、下方向（図２中下方向）がＺ軸正方向となっており、Ｘ軸及びＹ軸はＺ軸と直交しかつ互いに直交している。
【００１４】
水中検査装置９は、水中検査装置９に作用する水圧を検出する圧力センサ（垂直位置検出器）１８と、原子炉１内における水中検査装置９の姿勢（姿勢角）を検出するための慣性センサ部（姿勢角検出器）１９と、本体下部（底面）に取り付けられたレンジセンサユニット（相対距離検出器）２３を備えている。
【００１５】
圧力センサ１８で検出された圧力は、原子炉１内における水中検査装置９の垂直位置（深度）の検出に用いられる。また、慣性センサ部１９は、Ｘ軸、Ｙ軸、及びＺ軸周りの角速度をそれぞれ検出する３軸ジャイロ（角速度検出器）２０と、Ｘ軸及びＹ軸周りの角度（傾斜角）を検出する傾斜計（傾斜角検出器）２１と、Ｚ軸周りの角度（方位角）を検出する地磁気センサ（方位角検出器）２２を有しており、これらの検出値は水中検査装置９の姿勢角の検出に用いられる。
【００１６】
図３はレンジセンサユニット２３の概略構造を表す水平断面図であり、図４は図３中の断面IV−IVにおける断面図（垂直断面図）である。
【００１７】
レンジセンサユニット２３は、水で満たされた３次元空間で水中検査装置９の位置に応じて定められる水平面上において、水中検査装置９から当該水中検査装置９の周囲に存在する構造物までの相対距離を検出するものである。レンジセンサユニット２３のケーシング２５内には、水中検査装置９の前方側及び後方側に配置された合計２つの走査型のレーザセンサ（レーザレンジファインダ）２４ａ，２４ｂが収納されている。なお、本稿における「水平面」とは、完全な水平面のみを示すだけでなく、誤差等も含んだ実質的に水平な面を意味するものとする。
【００１８】
ケーシング２５の材質は、レーザセンサ２４ａ，２４ｂから投光されるレーザが透過可能なものであれば良く、例えば、ポリエチレンテレフタレートやポリプロピレン等の透光性を有する樹脂がある。
【００１９】
レーザセンサ２４ａ，２４ｂは、それぞれ、レーザを投光する投光部２６と、投光したレーザを受光する受光部２７を有している。投光部２６は、走査装置（図示せず）によってＺ軸周りに回転されて、同一平面上（ここでは水平面上となる）にレーザを走査する。投光部２６より投光及び走査されたレーザは周囲の構造物等に反射して受光部２７で受光される。本実施の形態では、レーザの投光時刻からその反射光の受光時刻までのレーザ飛行時間に基づいて周囲の構造物までの相対距離を測定している。このように測定した相対距離は、測定画像算出部３６（後述）における測定画像の算出に主に用いられる。
【００２０】
ところで、本実施の形態のレーザセンサ２４ａ，２４ｂでは、投光部２６と受光部２７が分離されており、レーザセンサ２４ａ，２４ｂには投光部２６側と受光部２７側を区画する略Ｕ字状の遮光板２６がそれぞれ設けられている。遮光板２６は、投光部２６からのレーザ光の一部がケーシング２５の内表面で反射して生じる反射光が受光部２７で受光されるのを防ぐためのものである。
【００２１】
なお、図４に示すように、ケーシング２５の前方側側面部は、その水平断面がレーザセンサ２４ａを中心とした円弧状になるように形成することが好ましく、また、ケーシング２５の後方側側面部は、その水平断面がレーザセンサ２４ｂを中心とした円弧状になるように形成することが好ましい。このようにケーシング２５を形成すると、投光部２６からのレーザ光が直交して出射するとともに、受光部２７で受光する反射光が直交して入射するので、ケーシング２５への出入射に伴うレーザ光の強度低下を抑制することができるからである。また、レーザセンサ２４ａ，２４ｂの構造は例えば特開２００６−３４９４４９号公報に詳しい。
【００２２】
図５はレンジセンサユニット２３の測定動作の説明図である。この図に示すように、本実施の形態におけるレンジセンサユニット２３では、レーザセンサ２４ａは、水中検査装置９の前方側範囲となる走査角度θａ（１）〜θａ（ｎ）の範囲（例えば−３０°〜２１０°程度の範囲）でレーザ光を走査するとともにその反射光を受光して、構造物Ａとの相対距離Ｍ（１）〜Ｍ（ｎ）をそれぞれ検出する。
【００２３】
また、レーザセンサ２４ｂは、水中検査装置９の後方側範囲となる走査角度θｂ（１）〜θｂ（ｎ）の範囲（例えば１５０°〜３９０°程度の範囲）でレーザ光を走査するとともにその反射光を受光して、構造物Ａとの相対距離Ｍ（ｎ＋１）〜Ｍ（２ｎ）をそれぞれ検出する。これにより、レーザセンサ２４ａ，２４ｂが位置する平面上における水中検査装置９とその周囲の構造物との相対距離を検出することができる。
【００２４】
図２に戻り、水中検査装置９には信号伝送部２９が設けられている。そして、信号伝送部２９及びケーブル１０を介して、圧力センサ１８、慣性センサ部１９（３軸ジャイロ２０、傾斜計２１、地磁気センサ２２）、及びレンジセンサユニット２３（レーザセンサ２４ａ，２４ｂ）からの検出信号並びに画像取込部１６からの画像信号が制御装置１１に出力されている。そして、制御装置１１は、前述した検出信号等に基づいて水中検査装置９の位置や姿勢を算出し、この算出した水中検査装置９の位置や姿勢を表示装置１２に出力して表示している。また、制御装置１１は、前述した画像信号を表示装置１２に出力して、カメラ１５の画像を表示している（後の図１３で詳述）。また、制御装置１１は、操作装置１３からの操作信号に応じてスラスタ１７を駆動制御する制御信号を生成し、この生成した制御信号をケーブル１０及び信号伝送部２９を介してスラスタ１７に出力している。
【００２５】
圧力センサ１８は、水中検査装置９の底面から外部に露出したセンサ部（図示せず）を有しており、当該センサ部に作用する水圧を検出することで圧力を検出している。なお、圧力センサ１８の設置の有無は、センサ部を外部から視認することで容易に確認できる。
【００２６】
制御装置１１は、コンピュータであり、ハードウェアとして、各種プログラムを実行するための演算手段としての演算処理装置（例えば、ＣＰＵ）と、当該プログラムをはじめ各種データを記憶するための記憶手段としての記憶装置（例えば、ＲＯＭ、ＲＡＭおよびフラッシュメモリ等の半導体メモリや、ハードディスクドライブ等の磁気記憶装置）と、各装置と水中検査装置９に係る各センサ等へのデータ及び指示等の入出力制御を行うための入出力演算処理装置を備えている（いずれも図示せず）。
【００２７】
次に、制御装置１１の位置・姿勢算出機能について説明する。図６は制御装置１１の機能ブロック図である。
【００２８】
この図に示すように、制御装置１１は、３軸ジャイロ２０の角速度信号に基づきＸ軸、Ｙ軸、及びＺ軸周りの角速度をそれぞれ算出する角速度算出部３０と、傾斜計２１の角度信号に基づきＸ軸及びＹ軸周りの傾斜角をそれぞれ算出するとともに、地磁気センサ２２の角度信号に基づきＺ軸周りの方位角を算出する角度算出部３１と、これら算出された角速度、傾斜角、及び方位角に基づき水中検査装置９の姿勢角（３軸周りの姿勢角）を算出する姿勢角算出部３２として機能する。また、圧力センサ１８の圧力信号に基づき水中における水中検査装置９の深度、すなわち垂直位置を算出する垂直位置算出部３３としても機能する。
【００２９】
また、制御装置１１は、測定画像算出部３６と、画像記憶部３４と、画像選択部３５と、対応部分特定部３７と、水平位置算出部３８と、位置・姿勢記憶部８０として機能する。
【００３０】
測定画像算出部３６は、レンジセンサユニット２３で検出された水中検査装置９と構造物との相対距離に基づいて、その相対距離を検出した水平面（以下において「スキャン平面」と称することがある）における構造物の外形の画像データ（測定画像）を算出・作成する処理（ビットマップ化処理）を行う部分である。
【００３１】
本実施の形態における測定画像算出部３６は、検出した相対距離を画像に変換する際に、距離［ｍｍ］を画素値［pixel］に変換する係数Ｋを使用してビットマップ化処理を行っている。このビットマップ化処理によって得られた画像は、複数の点（画素）の集合で表されており、原子炉１内の構造物をスキャン平面で切断したときの外形の一部を表すことになる。なお、本実施の形態では係数Ｋの値として、測定画像が一定のサイズ（例えば、６４０ｘ４８０［pixel］）のビットマップ画像となる値が採用されている。
【００３２】
画像記憶部３４は、原子炉１およびその内部の構造物の設計情報に基づいて作成される複数の画像データであって、原子炉１内（３次元空間）で垂直位置の異なる複数の水平面における構造物の外形の画像データ（記憶画像）が記憶されている部分であり、制御装置１１に係る記憶装置内の所定の領域に確保されている。
【００３３】
本実施の形態に係る画像記憶部３４に記憶されている各記憶画像は、垂直位置の異なる複数の水平面で原子炉１内の構造物を切断したときの当該構造物の外形を表しており、各記憶画像には、それぞれの切断位置を示す情報である原子炉１内における垂直位置情報が付与されている。
【００３４】
また、画像記憶部３４に記憶された各記憶画像を構成する画素の少なくとも１つには、原子炉１内の３次元空間に対応する水平位置情報が付されており（以下、この水平位置情報が付された画素を「基準画素」と称することがある）、各記憶画像は原子炉１内における水平位置の地図として機能している。なお、水平位置の算出精度を向上させる観点からは、記憶画像の画像サイズは大きいほど好ましい。画像サイズを大きくするほど各画素に付与する水平位置情報の精度を向上させることができるからである。
【００３５】
画像選択部３５は、測定画像算出部３６によって測定画像を得たときの水中検査装置９の垂直位置や、測定画像と画像記憶部３４内の複数の記憶画像とのマッチング率等に基づいて、画像記憶部３４に記憶された複数の記憶画像の中から水中検査装置９の位置算出に利用する記憶画像を最終的に１枚選択する処理を実行する部分である。
【００３６】
本実施の形態の画像選択部３５は、圧力センサ１８で検出された水中検査装置９の垂直位置に基づいて、画像記憶部３４に記憶された複数の記憶画像の中からレンジセンサユニット２３が相対距離を検出した水平面に対応する記憶画像を選択している。具体的には、画像選択部３５は、垂直位置算出部３３で算出された垂直位置と一致する垂直位置情報を有する記憶画像（一致するものが無い場合には垂直位置が最も近い画像）を選択画像として選択する。
【００３７】
また、この選択画像の選択方法に追加・代替して行われる他の選択方法としては、水中検査装置９の垂直位置に近い垂直位置情報を有する記憶画像を所定の枚数だけ抽出し、その抽出した記憶画像のそれぞれと測定画像に対して画像相関処理によるマップマッチングを実行し、当該複数の記憶画像の中からマッチング率の高いものを１枚選択し、最終的にその１枚を選択画像とするものがある。
【００３８】
また、上記の選択方法に追加・代替して行われる更に他の方法としては、初回の選択のみ水中検査装置９の位置（主に垂直方向位置）から最適な画像を選択し、その後の水平位置算出処理には、対応部分特定部３７で算出されるマッチング率が選択画像の再選択が不要なことを示す閾値Ｍ２（第２閾値）未満に到達したときに、マッチング率がＭ２以上に到達する他の記憶画像を改めて選択する方法がある。このマッチング率がＭ２以上の他の画像を改めて選択する場合の具体的手段としては、まず、現在の選択画像（マッチング率がＭ２未満のもの）に垂直方向情報が近い数枚の記憶画像であって、水中検査装置９の移動可能範囲内にあるものを再選択の候補として挙げ、次に、その候補に挙げた複数の記憶画像と測定画像とのマッチング率をそれぞれ算出し、最もマッチング率の高い記憶画像を選択画像として選択する方法がある。このように選択画像を選択すれば、常にマッチング率が一定値以上の記憶画像を用いることができるので、水中検査装置９の水平位置算出処理の精度を向上することができる。
【００３９】
対応部分特定部３７は、画像選択部３５で選択された選択画像と測定画像算出部３６で算出された測定画像とに対してマップマッチングを行うことで、当該選択画像上における当該測定画像に対応する部分を特定する部分である。すなわち、対応部分特定部３７は、測定画像に表れた構造物の外形が選択画像に表れた構造物の外形のどの部分に対応するかを探索する。測定画像と選択画像の一致（対応）の程度はマッチング率で表される。
【００４０】
水平位置算出部３８は、対応部分特定部３７で特定された選択画像上の部分において相対距離を検出した位置（すなわち、水中検査装置９の位置（正確にはレンジセンサユニット２３の位置、さらに正確にはレーザセンサ２４ａ，２４ｂの位置だが、本稿ではこれらを同じ意味で利用する））に対応する画素を特定し、その特定した画素の位置と基準画素の位置から水中検査装置９の水平位置を算出する部分である。
【００４１】
ここにおける「相対距離を検出した位置」とは、図５からも明らかなように、測定画像の中心に位置し、水中検査装置９の水平位置を示す。したがって、選択画像において測定画像の中心が位置する画素の位置が分かれば、当該画素と基準画素の距離を求めることにより、水平検査装置９の水平位置を算出することができる。なお、このとき画素から距離データへの変換が必要な場合には、距離から画素値に変換する際に用いた定数Ｋの逆数（すなわち、１／Ｋ）を画素値に乗じれば良い。
【００４２】
位置・姿勢記憶部８０は、上記のように垂直位置算出部３３、水平位置算出部３７、及び姿勢角算出部３２で演算された水中検査装置９の垂直位置、水平位置、及び姿勢角を記憶する部分である。位置・姿勢記憶部８０に記憶された垂直位置、水平位置、及び姿勢角は、水中検査装置９の垂直位置、水平位置、及び姿勢角として表示装置１２に送信され、画像取込部１６で電子情報化された目視検査用のカメラ１５の映像とともに表示される。
【００４３】
不一致部分抽出部８１は、測定画像算出部３６による測定画像と、画像選択部３５による選択画像とを比較し、当該２つの画像を重ね合わせたときに構造物の有無が一致しない画素の集合を、不一致部分として抽出する処理を実行する。なお、選択画像には無く測定画像に有るものを新規構造物、選択画像には有り測定画像には無いものを欠落構造物として区別して抽出し、これら不一致画像の各画素は、水中検査装置９の座標系での水平位置座標と、画像選択部３５に選択される際に用いた垂直位置座標を含んでいる。
【００４４】
記憶画像更新部８２は、不一致部分抽出部８１において不一致部分が抽出された場合、画像記憶部３４に記憶された複数の記憶画像のうち、不一致部分抽出部８１で不一致部分の探索が行われた選択画像（画像選択部３５で選択された記憶画像）に対応する記憶画像を、不一致部分抽出部８１で不一致部分の探索が行われた測定画像に基づいて更新する処理を行う。具体的には、不一致部分抽出部８１において抽出された不一致部分（新規構造物と欠落構造物）を、画像記憶部３４に記憶された複数の記憶画像のうち画像選択部３５で選択された選択画像に対応するものに対して当該不一致部分を反映する処理を行う。
【００４５】
次に上記のように構成される制御装置１１で行われる制御処理内容について説明する。図７は制御装置１１の位置・姿勢算出機能に係わる制御処理内容を表すＰＡＤ図である。
【００４６】
この図において、まずステップ３９で水中検査装置９の初期位置・初期姿勢角が入力されて位置・姿勢記憶部３８に記憶される。そして、ステップ４０に進んで水中検査装置９の操作開始とともにその位置・姿勢算出処理に移る。この位置・姿勢算出処理において、姿勢角算出処理（ステップ４１）と、垂直位置算出処理（ステップ４２）と、測定画像算出処理（ステップ４３）と、水平位置算出処理（ステップ４４）が順次繰り返し行われ、その都度ごとにステップ４１，４２，４４で算出された姿勢角、垂直位置及び水平位置が位置・姿勢記憶部３８に記憶される（ステップ４５）。以下、各算出処理の詳細を説明する。
【００４７】
（１）姿勢角算出処理
図８は図７に示すステップ４１の姿勢角算出処理の詳細を表すＰＡＤ図である。
姿勢角算出処理において、角速度算出部３０は、まず、３軸ジャイロ２０の角速度信号を取り込み、角度算出部３１は、傾斜計２１及び地磁気センサ２２の角度信号を取り込む（ステップ４６）。
【００４８】
そして、ステップ４７に進み、角速度算出部３０は、３軸ジャイロ２０の角速度信号から各軸（Ｘ軸、Ｙ軸、Ｚ軸）周りの角速度を算出する角速度算出処理に移る。本実施の形態の３軸ジャイロ２０は、静電浮上型ジャイロであり、角速度に比例する増減値が基準電圧（一定の電圧値）に加えられた正の電圧値を出力する。そのため、まずステップ４８において、３軸ジャイロ２０の各軸（Ｘ軸、Ｙ軸、Ｚ軸）周りの信号に対し基準電圧を減じる基本処理を行う。ここで、基準電圧は、通常、３軸ジャイロ２０の固有スペックとして示されているが、本実施の形態では、角速度信号が入力されないときの電圧値を予め計測して平均化したものを用いる。その後、ステップ４９に進んで、電圧−角速度換算係数（３軸ジャイロ２０の固有のスペックとして示される一定値）を乗じて各軸周りの角速度を算出する。
【００４９】
ステップ４７の角速度算出処理が終了すると、ステップ５０に進み、角度算出部３１は、傾斜計２１の角度信号から各軸（Ｘ軸、Ｙ軸）周りの傾斜角を算出する傾斜角算出処理に移る。本実施の形態の傾斜計２１は、封入された電解液の液面変化（Ｘ軸及びＹ軸周りの傾斜角）を電圧変化に変換して出力するものである。そのため、まずステップ５１において、各軸（Ｘ軸、Ｙ軸）周りの信号から基準電圧（傾斜計２１の固有スペックとして示される一定の電圧値）を減じる基本処理を行う。その後、ステップ５２に進んで、傾斜角換算係数（傾斜計２１の固有スペックとして示される一定値）を乗じて各軸周りの傾斜角を算出する。
【００５０】
ステップ５０の傾斜角算出処理が終了すると、ステップ５３に進み、角度算出部３１は、地磁気センサ２２の角度信号からＺ軸周りの方位角を算出する方位角算出処理に移る。本実施の形態の地磁気センサ２２は、Ｘ軸方向及びＹ軸方向に感度を有するホール素子で捉えた磁力を出力するものである。そのため、まずステップ５４において、Ｘ軸及びＹ軸の地磁気信号から基準電圧を減じ、ゲインを乗じる基本処理を行う。ここで、基準電圧及びゲインは、地磁気センサ２２を使用する環境により異なるため、予め使用する領域で測定したものを用いる。その後、ステップ５５に進んで、基本処理したＸ軸及びＹ軸の信号Ｍｘ，Ｍｙを用い、下記の式（１）によりＺ軸周りの方位角θｍを算出する。
【００５１】
【数１】
2015049192.tif 000003
【００５２】
ステップ５３の方位角算出処理が終了すると、ステップ５６に進み、姿勢角算出部３２は、上述したＸ軸、Ｙ軸、及びＺ軸周りの角速度、Ｘ軸及びＹ軸周りの傾斜角、Ｚ軸周りの方位角をカルマンフィルタ（この種のものとして公知のものであり、例えば上記特許文献１参照）に入力し、水中検査装置９の姿勢角（３軸周りの姿勢角）の最適値を推定する。その後、ステップ５７に進んで、推定した水中検査装置９の姿勢角を位置・姿勢記憶部３８に記憶する。このステップ５７の手順が終了すると姿勢角算出処理が終了する。
【００５３】
（２）垂直位置算出処理
図９は図７に示すステップ４２の垂直位置算出処理の詳細を表すＰＡＤ図である。
垂直位置算出処理において、垂直位置算出部３３は、まず、下記の式（２）に基づいて圧力Ｐを算出する。すなわち、まず、ステップ５８において圧力センサ１８の圧力信号（検出電圧）を取り込む。そして、ステップ５９に進んで、検出電圧Ｖｐから基準電圧Ｖｐ_base（圧力センサ１８の固有スペックとして示される一定の電圧値）を減じ、さらに圧力換算係数Ｋｖ_p（圧力センサ１８の固有スペックとして示される一定値）を乗じて圧力Ｐを算出する。
【００５４】
【数２】
2015049192.tif 000004
【００５５】
次に、垂直位置算出部３３は、ステップ６０に進んで、算出した圧力Ｐと原子炉１内の冷却材の密度ρと重力加速度ｇとを用い、下記の式（３）により水中検査装置９の深度Ｈを算出する。そして、算出した深度Ｈに例えばオペレーションフロア７から水面までの距離Ｌｗ（図１参照）を加えて、水中検査装置９の垂直位置とする。
【００５６】
【数３】
2015049192.tif 000005
【００５７】
その後、ステップ６１に進んで、算出した水中検査装置９の垂直位置を位置・姿勢記憶部３８に記憶する。このステップ６１の手順が終了すると垂直位置算出処理が終了する。
ところで、以下に続く測定画像算出処理（ステップ４３）と水平位置算出処理（ステップ４４）では、その理解を容易にするために、水中検査装置９で中空直方体内を検査する場合を適宜参照しながら説明する。
【００５８】
図１０は制御装置１１による測定画像算出処理及び水平位置算出処理の説明図である。この図に示す水中検査装置９は、水で満たされた中空直方体９０内に配置されている。水中検査装置９の水平位置は、スキャン平面Ｓにおける選択画像９１と、平面Ｓで検出された測定画像９２とに基づいて算出される。なお、選択画像９１及び測定画像９２のサイズは６４０×４８０［pixel］であり、選択画像９１の中心点をＣ９１とし、測定画像９２の中心点をＣ９２とする。
【００５９】
（３）測定画像算出処理（構造物形状算出処理）
図１１は図７に示すステップ４３の測定画像算出処理の詳細を表すＰＡＤ図である。
測定画像算出処理において、測定画像算出部３６は、まず、レーザセンサ２４ａ，２４ｂの出力信号を取り込む（ステップ６２）。本実施の形態におけるレンジセンサユニット２３（レーザセンサ２４ａ，２４ｂ）では図５で説明した方法で水平なスキャン平面（図１０の例では面Ｓ）における構造物との相対距離が測定されており、レーザセンサ２３ａ，２３ｂからの出力信号には、レーザの走査角度θ（θａ，θｂ）、及びそれぞれの走査角度ごとに算出される構造物までの距離Ｍが情報として含まれている。測定画像算出部３６は、下記の式（４）を用いて、ステップ６２で取り込んだ出力信号から、スキャン平面上において構造物の表面（外形）が位置する座標値Ｌ（ｘＬ，ｙＬ）を算出する（ステップ６３）。
【００６０】
【数４】
2015049192.tif 000006
【００６１】
次に、測定画像算出部３６は、ステップ６３で算出した各座標値ｘＬ，ｙＬに係数Ｋを乗じ、その値を測定画像における構造物の表面を示す画素の座標値Ｌ’（ＫｘＬ，ＫｙＬ）とする（ステップ６４）。すなわち、図１０の例においてステップ６４で得られた点Ｐ１の座標値が例えば（１２０，１００）であった場合には、測定画像９２の中心かつ水中検査装置９の中心の点Ｃ９２からＸ軸の正方向へ１２０［pixel］，Ｙ軸の正方向へ１００［pixel］進んだ位置が構造物の表面上の点Ｐ１の位置となる。そして、測定画像算出部３６は、検出したすべての走査角度θについてステップ６３，６４の算出処理を行って測定画像９２を得る。測定画像算出部３６は、このように取得した測定画像９２のデータを保存し（ステップ６５）、測定画像算出処理を終了する。
【００６２】
（４）水平位置算出処理
図１２は図７に示すステップ４４の水平位置算出処理の詳細を表すＰＡＤ図である。
【００６３】
水平位置算出処理が開始すると、対応部分特定部３７は、ステップ４３で算出された測定画像を取り込む（ステップ６６）。
【００６４】
一方、画像選択部３５は、ステップ４２で得られた水中検査装置９の垂直位置に基づいて、画像記憶部３４内に記憶されている複数の記憶画像の中から、測定画像とマッチングさせて水中検査装置９の水平位置を算出するために利用する画像（選択画像９１）を選択する（ステップ６７）。すなわち、図１０の例ではスキャン平面Ｓの垂直位置情報を有する記憶画像が選択画像９１として選択される。
【００６５】
なお、ステップ６７における選択画像の選択方法として、画像選択部３５の説明箇所で触れた他の方法を利用しても良い。例えば、２回目以降の水平位置算出処理において水中検査装置９が垂直方向に移動することで選択画像と測定画像のマッチング率がＭ２未満に到達したときは、マッチング率がＭ２以上となる選択画像を改めて選択しても良い。
【００６６】
次に、対応部分特定部３７は、ステップ６６で取り込んだ測定画像と、ステップ６７で選択した選択画像とに対して画像相関処理によるマップマッチングを行い、選択画像上で測定画像に対応する部分を特定する。換言すれば、測定画像と選択画像がどのように重ね合わさるかが特定される（ステップ６８）。図１０の例では、ステップ６７で選択された選択画像９１と、ステップ６６で取り込まれた測定画像９２との間でマップマッチングが行われ、選択画像９１と測定画像９２がどのように重ね合わさるかが特定される。
【００６７】
ステップ６８において対応部分が特定できたら、水平位置算出部３８は、まず、レンジセンサユニット２３を利用して水中検査装置９から構造物までの距離を検出した位置（すなわち、測定画像の中心位置であって、水中検査装置９の中心位置）が、選択画像上のどの画素に対応するかを特定する。そして、その特定した画素の位置と、選択画像において水平位置情報が判明している画素（例えば、基準画素）の位置とから、水中検査装置９の水平位置を算出する（ステップ６９）。
【００６８】
ステップ６９を図１０の例で説明すると、選択画像９１と測定画像９２とは図１０の右端に示したマッチングイメージ９３が示すように重なるので、選択画像９１上において測定画像９２の中心点Ｃ９２に対応する画素を容易に特定できる。そして、選択画像９１の中心点Ｃ９１の画素は中空直方体９０の中心に対応する基準画素なので、中心点Ｃ９１と中心点Ｃ９２との画素上における距離（シフト量９４）を算出し、そのシフト量９４を中空直方体９０における距離データに変換すれば、中心点Ｃ９２の水平位置（すなわち、水中検査装置９の水平位置）を算出することができる。なお、シフト量９４を距離データへ変換する際には、測定画像算出部３６において距離を画素値に変換する際に用いた定数Ｋの逆数（すなわち、１／Ｋ）をシフト量９４（ξ,η）に乗じて算出すれば良い。  このように水中検査装置９の水平位置の算出が終了したら、その算出した水平位置を位置・姿勢記憶部８０に記憶する（ステップ７０）。
【００６９】
次に、ステップ７１において、不一致部分抽出部８１は、ステップ６６で取り込んだ測定画像とステップ６７で選択した選択画像に表された構造物の外形を比較し、当該２つの画像において不一致部分を抽出する。
【００７０】
具体的には、不一致部分抽出部８１は、まず、ステップ６８で測定画像と選択画像をマッチングさせたときの両画像の画素の対応関係に基づいて、構造物の外形の比較を行う。すなわち、構造物の外形を基準にして２つの画像を重ね合わせた状態で上下に位置する２つの画素を対応する１組の画素とし、当該１組の画素において構造物の有無が一致するかどうかを判定する。そして、一致する場合には当該１組の画素を一致部分として抽出し、一致しない場合には不一致部分として抽出する。この処理を測定画像中の全ての画素について行い、位置情報を有する点（画素）の集合データ（点群データ）として抽不一致部分を抽出する。なお、上記とは逆に、選択画像上の画素を基準にして一致／不一致の判定を行っても良い。
【００７１】
また、不一致部分抽出部８１は、不一致部分として抽出した１組の画素について、構造物が存在すると示している画素が選択画像と測定画像のいずれかに存在するかを判定する処理も行う。この処理により、選択画像に存在しないが、測定画像には存在する画素は、選択画像の作成時に存在しなかった「新規構造物」の一部を構成するものとして当該画素を抽出する。一方、選択画像には存在するが、測定画像に存在しない画素は、選択画像の作成時より後に消失した「欠落構造物」の一部を構成するものとして当該画素を抽出する。
【００７２】
ところで、測定画像と選択画像の比較処理において、不一致部分が存在しない場合には、後続するステップ７２の処理を実行することなく水平位置算出処理を終了する。また、測定画像と選択画像を重ね合わせたときに上下に位置する２つの画素が一致しない場合であっても、一方の画像の画素から他方の画像の対応画素までの距離が所定の閾値以内の場合には、一致部分として処理しても良い。
【００７３】
ステップ７１が終了したら、記憶画像更新部８２は、ステップ６７で選択された選択画像に対応する記憶画像（すなわち、選択画像と同じ垂直位置情報を有する記憶画像）に対して、ステップ７０で抽出した不一致部分を反映する処理を行い、その反映後の画像を新たな記憶画像として保存する（ステップ７２）。記憶画像において反映（変更）すべき画素の位置の特定は、ステップ７１の不一致部分抽出処理と同様に、ステップ６８で両画像をマッチングさせたときの両画像の対応関係に基づいて行うものとする。各画素の水平位置情報を利用しても良い。
【００７４】
これにより、一部が測定画像によって修正された記憶画像が画像記憶部３４に記憶される。このとき新規構造物の一部として記憶画像に追加された画素には、当該画素が新規構造物の一部である旨の情報を付す。一方、欠落構造物の一部として消去された画素があった場合には、当該消去された画素と同じ位置にある画素に対して以前構造物が存在した旨の情報を付す。
【００７５】
なお、ここでは、不一致部分に基づいて記憶画像を上書き更新する場合について述べたが、更新前の記憶画像を記憶装置内の領域に別途保存しておき適宜利用しても良い。更新前の記憶画像の利用方法の一例としては、現況を示す測定画像と比較・対比するために、測定画像とともにまたは測定画像と重ね合わせて表示装置１２上に表示するものがある。
【００７６】
ステップ７２が終了したら一連の水平位置算出処理を終了する。上記の姿勢角算出処理（ステップ４１）、垂直位置算出処理（ステップ４２）、測定画像算出処理（ステップ４３）、及び水平位置算出処理（ステップ４４）で算出された水中検査装置値９の位置及び姿勢は位置・姿勢記憶部８０を介して表示装置１２に出力される。
【００７７】
図１３は表示装置１２の表示画面の一例を表す図である。この図に示す表示画面１２０は、位置座標表示部９５と、水平位置画像表示部９６と、カメラ映像表示部９９を有している。
【００７８】
位置座標表示部９５には、制御装置１１の位置・姿勢記憶部３８から読み込んだ水中検査装置９の絶対位置が表示される。水平位置画像表示部９６には、水中検査装置９が位置する垂直位置における原子炉１内の水平断面画像とともに水中検査装置９の水平位置を示すマーカ９４が表示される。
【００７９】
水平位置画像表示部９６における原子炉１内の水平断面画像は、例えば、制御装置１１における構造物データ記憶部（図示せず）に記憶されている原子炉１の形状データ（例えば、ＣＡＤデータ）と、垂直位置算出部３３で算出された水中検査装置９の垂直位置とを利用して描かれており、水中検査装置９の垂直方向の移動に追従して随時変化する。また、水平位置画像表示部９６には、水中検査装置９の投入位置（初期位置）をマーカ９７でマークする機能や、水中検査装置９の移動軌跡９８を表示又は非表示する機能が具備されている。
【００８０】
カメラ映像表示部９９は、水中検査装置９に搭載されたカメラ１５の映像が表示される部分である。
【００８１】
なお、表示装置１２は、図示しない他の表示画面に切り換えられるようになっており、位置・姿勢記憶部８０から読み込んだ水中検査装置９の姿勢等も表示されるようになっている。このように構成された表示画面１２０によれば、検査員１４は原子炉１内のどこに水中検査装置９があるかを視覚的に把握しながら検査することができる。
【００８２】
図１４は表示装置１２の他の表示画面の一例を表す図である。この図に示す表示画面１３０は、水中検査装置９による測定画像が表示される測定画像表示部１１０と、画像記憶部３４の記憶画像のうち更新前のもの（すなわち、原子炉の設計情報に基づいて作成した当初の記憶画像）が表示される記憶画像表示部１１５を有している。このように測定画像と記憶画像を同時に表示すると、新規構造物と欠落構造物の認識が容易になる。例えば、図１４の例では、測定画像表示部１１０に表れた構造物１１１が新規構造物であると判断でき、記憶画像表示部１１５の構造物１１６が欠落構造物であると判断できる。また、新規構造物と欠落構造物は、他の構造物と容易に判別可能なように色を変えて表示する等しても良い。
【００８３】
なお、図１４の例では測定画像と記憶画像を個別のウィンドウに表示したが、測定画像と記憶画像は１つのウィンドウ内に重ねて表示しても良い。その場合には、不一致部分の判別が容易になるように、各画像の色を異ならせること等して各画像の視認性の向上を図ることが好ましい。また、図１４の例では、記憶画像表示部１１５に更新前の画像を表示したが、更新後の画像を表示しても良いし、記憶画像に代えて選択画像を表示しても良い。これは測定画像と記憶画像を重畳的に表示する場合についても同様である。
【００８４】
以上のように、本実施の形態に係る原子炉内検査システムは、水中検査装置９が位置する水平面において水中検査装置９と構造物の相対距離を検出するレンジセンサユニット２３と、レンジセンサユニット２３で検出された相対距離に基づいて測定画像を算出する測定画像算出部３６と、水中検査装置９の垂直位置に基づいて画像記憶部３４からマップマッチングに利用する画像（選択画像）を選択する画像選択部３５と、マップマッチングを行うことで選択画像における測定画像に対応する部分を特定する対応部分特定部３７と、選択画像における測定画像の中心の位置と選択画像における基準画素の位置から水中検査装置９の水平位置を算出する水平位置算出部３８と、測定画像算出部３６で算出した測定画像と画像記憶部３４から選択した選択画像（一部更新）を比較し、異なる部分を抽出する不一致部分抽出部８１と、不一致部分抽出部８１で抽出した測定画像と選択画像の差異を画像記憶部３４へ反映する記憶画像更新部８２を備えている。
【００８５】
このように水中移動体の位置検知装置を構成すると、不一致部分を反映した選択画像と測定画像をマップマッチングすることで水中検査装置９の水平位置を算出することができるので、選択画像の更新を実施せず水中検査装置９の絶対位置を算出する技術（特開２０１０−２０３８８８号公報等参照）と比較して、位置算出に伴う誤差を軽減することができる。したがって、本実施の形態によれば、設計情報と異なる環境下での水中検査装置９の位置の検知精度を向上させることができる。
【００８６】
また、本実施の形態における水中検査装置９は、構造物との相対距離を検出する相対距離検出器として、投光部２６及び受光部２７を有するレーザセンサ２３ａ，２３ｂを備えたレンジセンサユニット２３を設けているので、次の効果を発揮する。すなわち、例えば投光部及び受光部のうちのいずれか一方を水中検査装置側に設けて他方を構造物側に設けるような構成では、水中検査装置が狭隘部若しくは複雑な構造物が介在するような環境下に配置された場合に、水中検査装置の位置を検知することが困難となる。これに対し本実施の形態では、投光部２６及び受光部２７をともに水中検査装置９側に設けているので、狭隘部や複雑な構造物が存在する環境下に配置された場合でも、水中検査装置９の位置を検知することができる。
【００８７】
なお、上記では、記憶画像を構成する画素には水平位置情報が付された基準画素が１つ以上含まれている場合について説明したが、記憶画像を構成するすべての画素に水平位置情報を付しても良い。この場合には、選択画像上で測定画像の中心が位置する画素を特定できれば、当該画素に付された水平位置情報から水平位置を算出することができるようになるので、上記の場合と比較して水平処理算出処理を容易に行うことができる。
【００８８】
また、上記の実施の形態では、多数の方向にレーザを走査してその反射光を受光する走査型のレーザセンサ２４ａ，２４ｂを距離センサの例として取りあげたが、相対距離検出器はこれに限られない。例えば、超音波の反響の影響が少なければ、超音波を送信してその反射波を受信する超音波センサを利用してもよい。この場合にもレーザセンサ同様の効果を得ることができる。
【００８９】
また、上記の説明では、位置算出に利用する測定画像と記憶画像は水平面に限定したが、測定画像と記憶画像は水平面に限らず、水平面と交差する他の面としても良い。この場合の構成例としては、検査対象である構造物の３次元モデルを記憶装置内に記憶しておき、測定画像を取得した時の水中検査装置９の垂直位置に近い位置で測定画像と平行な１以上の面でもって当該３次元モデルを切断し、その結果得られる１以上の画像を記憶画像とし、当該記憶画像を測定画像とマッチングさせることで水中検査装置９の水平位置を推定するものがある。なお、この場合には、水中検査装置９の姿勢から測定画像の水平面に対する傾きを推定し、当該傾きを有する１以上の画像を記憶画像として３次元モデルから切り出せば良い。
【００９０】
また、上記において図７およびこれに関連する図を利用して説明した各処理の順番は、一例に過ぎず、算出結果の変化が許容される範囲内で各処理の順番は適宜変更可能である。
【００９１】
さらに、以上の説明では原子炉内検査システムに用いられる水中移動体の位置検知装置について説明したが、本発明は、原子炉内の検査に用いる検査装置の位置検知だけでなく、水中で使用する移動体の位置検知に広く適用可能である。特に、本発明は、移動体を直接目視できない環境における当該移動体の位置把握に適している。
【符号の説明】
【００９２】
９…水中検査装置（水中移動体）、１１…制御装置、１８…圧力センサ（垂直位置検出器）、１９…慣性センサ部（姿勢検出器）、２０…３軸ジャイロ、２１…傾斜計、２２…地磁気センサ、２３…レンジセンサユニット（相対距離検出器）、２４ａ…レーザセンサ、２４ｂ…レーザセンサ、３４…画像記憶部、３５…画像選択部、３６…測定画像算出部、３７…対応部分特定部、３８…水平位置算出部、８１…不一致部分抽出部、８２…記憶画像更新部、１１０…測定画像表示部、１１５…記憶画像表示部
【図１】
2015049192.tif 000007
【図２】
2015049192.tif 000008
【図３】
2015049192.tif 000009
【図４】
2015049192.tif 000010
【図５】
2015049192.tif 000011
【図６】
2015049192.tif 000012
【図７】
2015049192.tif 000013
【図８】
2015049192.tif 000014
【図９】
2015049192.tif 000015
【図１０】
2015049192.tif 000016
【図１１】
2015049192.tif 000017
【図１２】
2015049192.tif 000018
【図１３】
2015049192.tif 000019
【図１４】
2015049192.tif 000020